(57)【特許請求の範囲】
【請求項１】
原稿の第１面側を読み取るために、原稿の画像面を案内する第１の光学案内部材と、
該第１の光学案内部材により案内される原稿の第１面を露光する第１の光源と該第１の光源により露光された原稿からの反射光像を結像する結像手段からなる第１の光学手段と、
該第１の光学手段により結像される光像を受光する第１の受光手段とからなる第１の原稿読み取り手段と、
該第１の原稿読み取り手段と対向配置され、原稿の第２面側を読み取るために、原稿の画像面を案内する第２の光学案内部材と、
該第２の光学案内部材により案内される原稿の第２面を露光する第２の光源と該第２の光源により露光された原稿からの反射光像を結像する結像手段からなる第２の光学手段と、
該第２の光学手段により結像される光像を受光する第２の受光手段とからなる第２の原稿読み取り手段とを備え、
原稿の第１面又は第２面を夫々第１又は第２の光学案内部材の表面に当接させ、原稿画像を読み取る構成であり、
下側の光学案内部材は、原稿搬送方向下流側が下がった曲面状に形成され、
原稿読み取り手段よりも原稿搬送方向下流側の搬送面は、前記第１及び第２の光学案内部材によって形成される用紙搬送経路面よりも低い面に設けられることを特徴とする原稿画像読み取り装置。
【発明の詳細な説明】
【０００１】
【発明の属する分野】
本発明は、デジタル複写システム等に搭載されている原稿画像読み取り装置に関し、より詳細には、原稿上の第１面画像と第２面画像を効率よく読み取る一方で、一方の読み取り部の光が他方の読み取り部に影響して画質的に問題となることのない光学手段を設けてなる原稿画像読み取り装置に関する。
【０００２】
【従来の技術】
従来、単一の原稿の読み取り光学系（原稿読み取り部）を有する原稿読取装置が一般に知られているが、原稿の読み取り光学系が単一であるために、一度の走査で読み取ることができる原稿面は表面又は裏面のどちらか片側のみであり、原稿の両面の情報を読み取る場合、オペレータが原稿を反転させ、原稿の片面毎に読み取り作業を行う必要があった。
【０００３】
また、原稿を自動的に原稿読み取り部まで搬送させ、片側面の原稿画像情報を原稿読み取り部で読み取った後、原稿面を自動的に反転させ、再度もう一方の面を原稿読み取り部まで搬送して原稿画像を読み取ることにより、原稿の両面の画像を自動的に読み取ることができる装置も提案されているが、一般的に上記装置は高価であり、また複雑な機構を必要としていた。
【０００４】
更に、単一の読み取り部にて上記の如く原稿を反転させて原稿の両面の画像情報を読み取る場合、読みとり部にて原稿面を２度走査することが必要なため、処理に必要な時間が長くなり、処理効率が悪くなるといった問題点があった。
【０００５】
従い、上記問題点を解決するための提案として、例えば、特開昭５６−４６２６０号公報においては、原稿の両面の画像情報をそれぞれ独立に読み取るべく設けられた２つの画像読取装置を備え、原稿面における読み取り主走査線の位置が、前記原稿の副走査方向に対して、両面で一致しないようにそれら画像読取装置を配置した原稿読取装置が開示されている。
【０００６】
また、特開平６−１０３４０６号公報においては、帳票の表面のイメージを縮小するための縮小光学系を具備する第１のスキャナ部と縮小光学系を必要としない第２のスキャナ部を備えることにより、帳票の両面読み取りが行え、第２のスキャナ部を小型化でき、しかも帳票に近接して配置することで、装置の大型化を防止する技術が開示されている。
【０００７】
【発明が解決しようとする課題】
特開昭５６−４６２６０号公報においては、原稿の一方向への走査により、原稿の両面の画像情報を同時に読み取ることができるので処理効率の低下を防止することができると共に、各原稿面読み取りのためのスリットが、副走査方向へ互いにズラして設けられており、読み取りのための光源光が原稿を透過して互いに反対側の読み取り部へ悪影響を及ぼさないように配慮されている点で有効なものである。
【０００８】
しかしながら同公報においては、２つの画像読取部の設置位置（スリット）をズラして配置する必要があるので装置が大型化する問題があり、また、２つの画像読取部の設定位置に制約が生じるので機構の位置関係を自由に設定することができないと共に複雑な機構になってしまうという問題が生ずる。更に、画像読取部の設置位置をズラすだけでは、用紙を透過した原稿画像読取用の光源光が、迷光により他方の原稿読取部に照射されてしまう恐れもある。
【０００９】
一方、特開昭５６−４６２６０号公報に記載された技術内容によれば、帳票の表面のイメージを縮小するための縮小光学系を具備する第１のスキャナ部と縮小光学系を必要としない第２のスキャナ部を備えることにより、帳票の両面読み取りが行え、第２のスキャナ部を小型化でき、しかも帳票に近接して配置することで、装置の大型化を防止することがきるという点で有効なものである。
【００１０】
しかしながら、同公報においても、原稿を透過した原稿画像読取用の光源光が、迷光により他方の原稿読取部に照射されてしまう恐れがあり、更に第２のスキャナ部では縮小画像を得られないといった問題点があった。
【００１１】
本発明は上記問題点に鑑みてなされたものであり、原稿の両面の画像情報をそれぞれ独立にかつ同時に読み取るべく設けられた２つの画像読取装置を備え、光源光の迷光による誤動作の発生することがない、機構が簡易でかつ小型化の容易な、原稿画像読み取り装置を提供することを目的とする。
【００２０】
【課題を解決するための手段】
請求項１記載の原稿画像読み取り装置は、原稿の第１面側を読み取るために、原稿の画像面を案内する第１の光学案内部材と、
該第１の光学案内部材により案内される原稿の第１面を露光する第１の光源と該第１の光源により露光された原稿からの反射光像を結像する結像手段からなる第１の光学手段と、
該第１の光学手段により結像される光像を受光する第１の受光手段とからなる第１の原稿読み取り手段と、
該第１の原稿読み取り手段と対向配置され、原稿の第２面側を読み取るために、原稿の画像面を案内する第２の光学案内部材と、
該第２の光学案内部材により案内される原稿の第２面を露光する第２の光源と該第２の光源により露光された原稿からの反射光像を結像する結像手段からなる第２の光学手段と、
該第２の光学手段により結像される光像を受光する第２の受光手段とからなる第２の原稿読み取り手段とを備え、
原稿の第１面又は第２面を夫々第１又は第２の光学案内部材の表面に当接させ、原稿画像を読み取る構成であり、
下側の光学案内部材は、原稿搬送方向下流側が下がった曲面状に形成され、
原稿読み取り手段よりも原稿搬送方向下流側の搬送面は、前記第１及び第２の光学案内部材によって形成される用紙搬送経路面よりも低い面に設けられることを特徴とする原稿画像読み取り装置である。
【００２１】
本発明に従えば、受光手段と原稿面との距離を常に一定とすることができ、原稿の読み取り精度を向上させることができる。さらに原稿読み取り手段よりも原稿搬送方向下流側の搬送面は、前記第１及び第２の光学案内部材によって形成される用紙搬送経路面よりも低い面に設けられる。このように搬送面をずらすだけの簡単な構成によって原稿搬送経路を改善し、原稿の一方の面を一方の原稿案内光学部材の表面に当接させることができる。しかも下側の光学案内部材は、原稿搬送方向下流側が下がった曲面状に形成されており、原稿の一方の面を一方の原稿案内光学部材の表面に円滑に当接させ易くなる。したがって簡単な構成で、受光手段と原稿面との距離をより確実に一定にでき、さらに原稿読み取り精度が向上する。
【００３７】
【発明の実施の形態】
本発明の実施の形態を図１ないし図２２に基づいて以下に説明する。
なお、本実施例の説明としてデジタル複写システムに本発明を適用した場合のみを記載しているが、本発明はデジタル複写システムのみに適用されるものではなく、原稿画像読み取り装置を備えた装置全般に適用可能であることは言うまでもない。
【００３８】
図１は本発明による原稿読み取り装置を備えたデジタル複写システム１であり、原稿読取装置１０と両面プリンタ３０とがケーブル６０によって接続されているため、原稿読取装置を任意の場所に配置して使用可能である。ここではまず両面プリンタ３０について説明する。
【００３９】
原稿画像を原稿読取装置１０にて読み取ることにより得られた画像データは、後述する画像処理部へ送られ、各種処理が施された後、画像処理部のメモリに一旦記憶されて出力指示に応じてメモリ内の画像を読み出し、ケーブル６０を介して両面プリンタ部３０に転送されて、記録シート上に画像を形成させる。
【００４０】
この両面プリンタ部３０は画像を形成させるための記録材であるシートの搬送系、レーザ書き込みユニット４６、及び画像を形成するための電子写真プロセス部を備えている。
【００４１】
レーザ書き込みユニット４６は、上述した原稿読取装置１０にて読み取った後のメモリから読み出した画像データ、又は外部の装置から転送されてきた画像データに応じて、図示しないレーザ光を出射する半導体レーザ光源、レーザ光を等角速度偏向するポリゴンミラー、等角速度で偏向されたレーザ光が電子写真プロセス部を構成する感光体ドラム４８上において等角速度で偏向されるよう補正するｆ−θレンズなどを有している。
【００４２】
上記電子写真プロセス部は、周知である感光体ドラム４８の周囲に帯電器、現像器、転写器、剥離器、クリーニング器、除電器を備えている。
【００４３】
一方、シートＰの搬送系は、上述した画像形成を行う電子写真プロセス部の特に転写器が配置された転写位置へとシートＰを搬送する搬送部、該搬送部へとシートＰを送り込むためのカセット給紙装置５１、５２又は、必要なサイズのシートを適宜給紙するための手差し給紙装置５４、転写後のシートＰに形成された画像、特にトナー像を定着するための定着器４９、定着後のシートＰの裏面に再度画像を形成するためにシートＰを再供給するための再供給経路５３とを備えている。
【００４４】
また、定着器４９の下流側には、画像が記録されたシートＰを受け取り、このシートＰに対して所定の処理を施す後処理装置３４が配置されている。
【００４５】
レーザ書き込みユニット４６及び電子写真プロセス部において、画像メモリから読み出された画像データは、レーザ書き込みユニット４６によってレーザ光線を走査させることにより感光体ドラム４８の表面上に静電潜像として形成され、トナーにより可視像化されたトナー像は多段給紙ユニット５１、５２のいずれかの給紙部から搬送された用紙の面上に静電転写され定着される。
【００４６】
このようにして画像が形成されたシートＰは定着器４９から後処理装置３４内へと搬送される。
【００４７】
（画像処理部の回路説明）
次にこのデジタル複写システム１における、読み取られた原稿画像情報に画像処理を行う画像処理部の構成及び機能について説明する。
【００４８】
図２０は図１のデジタル複写システム１の原稿読取装置１０と両面プリンタ３０の少なくとも一方に含まれている画像処理部のブロック図である。
【００４９】
このデジタル複写システム１に含まれている画像処理部は、画像データ入力部２４０、画像処理部２４１、画像データ出力部２４２、ＲＡＭ（ランダムアクセスメモリ）、ハードディスク等から構成されるメモリ２４３及び中央処理装置（ＣＰＵ）２４４を備えている。
【００５０】
画像データ入力部２４０はＣＣＤ部２４０ａ、ヒストグラム処理部２４０ｂ及び誤差拡散処理部２４０ｃを含んでいる。
【００５１】
画像データ入力部２４０はＣＣＤ２００から読み込まれた原稿の画像データを２値化変換して、２値のデジタル量としてヒストグラムをとりながら、誤差拡散法により画像データを処理して、メモリ２４３に一旦記憶するように構成されている。
【００５２】
即ち、ＣＣＤ部２４０ａでは、画像データの各画素濃度に応じたアナログ電気信号がＡ／Ｄ変換されたのち、ＭＴＦ補正、白黒補正又はガンマ補正が行われ、２５６階調（８ビット）のデジタル信号としてヒストグラム処理部２４０ｂへ出力される。
【００５３】
ヒストグラム処理部２４０ｂでは、ＣＣＤ部２４０ａから出力されたデジタル信号が２５６階調の画素濃度別に加算され濃度情報（ヒストグラムデータ）が得られるとともに、必要に応じて、得られたヒストグラムデータはＣＰＵ２４４へ送られ、又画素データとして誤差拡散処理部２４０ｃへ送られる。
【００５４】
誤差拡散処理部２４０ｃでは、疑似中間処理の一種である誤差拡散法、すなわち、２値化の誤差を隣接画素の２値化判定に反映させる方法により、ＣＣＤ部２４０ａから出力された８ビット／画素のデジタル信号が１ビット（２値化）に変換され、原稿における局所領域濃度を忠実に再現するための再配分演算が行われる。
【００５５】
画像処理部２４１は多値化処理部２４１ａ及び２４１ｂ、合成処理部２４１ｃ、濃度変換処理部２４１ｄ、変倍処理部２４１ｅ、画像プロセス部２４１ｆ、誤差拡散処理部２４１ｇ並びに圧縮処理部２４１ｈを含んでいる。
【００５６】
画像処理部２４１は、入力された画像データをオペレータが希望する画像データに最終的に変換する処理部であり、メモリ２４３に最終的に変換された出力画像データとして記憶されるまでこの処理部にて処理するように構成されている。但し、画像処理部２４１に含まれている上述の各処理部は必要に応じて機能するものであり、装置の仕様や設定条件等により機能しない場合もある。
【００５７】
そして、多値化処理部２４１ａ及び２４１ｂでは、誤差拡散処理部２４０ｃで２値化されたデータが再度２５６階調に変換される。
【００５８】
合成処理部２４１ｃでは、画素毎の論理演算、即ち、論理和、論理積又は排他的論理和の演算が選択的に行われる。この演算の対象となるデータは、メモリ２４３に記憶されている画素データ及びパターンジェネレータ（ＰＧ）からのビットデータである。
【００５９】
濃度変換処理部２４１ｄでは、２５６階調のデータ信号に対して、所定の階調変換テーブルに基づいて入力濃度に対する出力濃度の関係が任意に設定される。
【００６０】
変倍処理部２４１ｅでは、指定された変倍率に応じて、入力される既知データにより補間処理を行うことによって、変倍後の対象画素に対する画素データ（濃度値）が求められ、副走査が変倍された後に主走査が変倍処理される。
【００６１】
画素プロセス部２４１ｆでは、入力された画素データに対して様々な画像処理が行われ、又、特徴抽出等データ列に対する情報収集が行われ得る。
【００６２】
誤差拡散処理部２４１ｇでは、画像データ入力部２４０の誤差拡散処理部２４０ｃと同様な処理が行われる。
【００６３】
圧縮処理部２４１ｈでは、ランレングスという符号化により２値データが圧縮される。又、画像データの圧縮に関しては、最終的な出力画像データが完成した時点で最後の処理ループにおいて圧縮が機能する。
【００６４】
画像データ出力部２４２は復元部２４２ａ、多値化処理部２４２ｂ、誤差拡散処理部２４２ｃ、及びレーザ出力部２４２ｄを含んでいる。
【００６５】
画像データ出力部２４２は、圧縮状態でメモリ２４３に記憶されている画像データを復元し、もとの２５６階調に再度変換し、２値データより滑らかな中間調表現となる４値データの誤差拡散を行い、レーザ出力部２４２ｄへデータを転送するように構成されている。
【００６６】
即ち、復元部２４２ａでは、圧縮処理部２４１ｈによって圧縮された画像データが復元され、多値化処理部２４２ｂでは、画像処理部２４１の多値化処理部２４１ａ及び２４１ｂと同様な処理が行われ、誤差拡散処理部２４２ｃでは、画像データ入力部２４０の誤差拡散処理部２４０ｃと同様な処理が行われる。
【００６７】
レーザ出力部２４２ｄでは、図示しないシーケンスコントローラからの制御信号に基づき、デジタル画素データがレーザのオン／オフ信号に変換され、レーザ書き込みユニット４６における半導体レーザがオン／オフ状態となり、感光体ドラム４８上に静電潜像が書き込まれる。
【００６８】
尚、画像データ入力部２４０及び画像データ出力部２４２において扱われるデータは、メモリ２４３の記憶容量を削減するために、基本的には２値データの形でメモリ２４３上に記憶されているが、画像データの劣化を考慮して４値のデータの形で処理することも可能である。
【００６９】
（デジタル複写システム全体の制御構成の説明）
図２１はデジタル複写システム１の装置全体の各部を中央制御ユニット（ＣＰＵ）２４４により動作管理している状態を示す図である。
【００７０】
ＣＣＤ２００、画像データ入力部２４０、画像処理部２４１、画像データ出力部２４２、画像メモリ２４３、及び中央処理装置（ＣＰＵ）２４４は、図２０と重複するので、説明を省略する。
【００７１】
中央処理装置２４４は、ＲＡＤＦ、原稿読取装置１０、プリンタ部３０などデジタル複写システム１を構成する各駆動機構部をシーケンス制御により管理すると共に、各部へ制御信号を出力している。
【００７２】
更に中央処理装置には、操作パネルからなる操作基板ユニット２４５が相互通信可能な状態で接続されており、オペレータが設定入力した複写モードに応じて制御信号を中央処理ユニット２４４に転送し、モードに応じてデジタル複写システム１を動作させるようになっている。
【００７３】
また、中央処理ユニット２４４からはデジタル複写システム１の動作状態を示す制御信号を操作基板ユニット２４５へと転送して、この制御信号により装置が現在どのような状態にあるのかをオペレータに示すように表示部などにより動作状態を表示するようになっている。
【００７４】
ソータコントロールユニット２４６は、デジタル複写システム１により出力される複写物を仕分けたりする後処理装置の動作を管理する制御ユニットであり、画像データ通信ユニット２４７は画像情報、及び画像制御信号など他のデジタル画像機器との情報通信を可能にするために設けられている。
【００７５】
図２２は、デジタル複写システムにおける操作パネルユニット１７５を表したものである。
【００７６】
この操作パネルユニット１７５の中央部分には、タッチパネル液晶表示装置１０６が配置されていて、その周囲に各種モード設定キー群が配置されている。
【００７７】
このタッチパネル液晶表示装置１０６の画面上には、常時画像編集機能を選択するための画面に切り換える画面切り換え指示エリアがあって、このエリアを指で直接押圧操作すると各種画像編集機能が選択できるように液晶画面上に各種編集機能が一覧表示される。
【００７８】
その表示された各種編集機能の中から、オペレータが所望する機能が表示されている領域を指で触れることにより編集機能が設定される。
【００７９】
操作パネル１７５上に配置された各種設定キー群について簡単に説明すれば、液晶表示装置１０６の画面の明るさを調整するダイヤル１０７、倍率を自動的に選択させるモードを設定する倍率自動設定キー１０８、複写倍率を１％きざみで設定するためのズームキー１０９、固定倍率を読み出して選択するための固定倍率キー１１０、１１１、複写倍率を標準倍率（等倍）に戻すための等倍キー１１２が設けられる。
【００８０】
また、コピー濃度調整を自動から手動又は、写真モードへと切り換えるための濃度切り換えキー１１３、手動モード又は、写真モードのときに濃度レベルを細かく設定するための濃度調整キー１１４、複写機の給紙部にセットされている用紙サイズの中から希望する用紙サイズを選択するためのトレイ選択キー１１５が配置されている。
【００８１】
更に、複写枚数を設定するための枚数設定キー１１６、複写枚数をクリアしたり連続コピーを途中で止めるときに操作するクリアキー１１７、コピーの開始を指示するためのスタートキー１１８、現在設定されているモードの全てを解除して標準状態に復帰させるための全解除キー１１９がある。
【００８２】
次いで、連続コピー中に別の原稿に対するコピーを行いたいときに操作する割り込みキー１２０、複写機の操作が分からないときに操作することで複写機の操作方法をメッセージ表示するための操作ガイドキー１２１、操作ガイドキー１２１の操作により表示されたメッセージの続きを表示させるためのメッセージ順送りキー１２２、両面複写モードの設定するための両面モード設定キー１２３、複写機から排出される複写物を仕分けるための後処理装置の動作モードを設定するための後処理モード設定キー１２４がある。
【００８３】
また、プリンタモード、ファクシミリモードに関する設定キー１２５〜１２７があり、送信原稿を一旦メモリに蓄えてから送信するメモリ送信モードキー１２５、デジタル複写システムのモードをコピーとファックス、プリンタの間で切り換えるためのコピー／ファックス・プリンタモード切り換えキー１２６、送信先電話番号を予め記憶させておき送信時にワンタッチ操作で送信先に電話を発信させるためのワンタッチダイヤルキー１２７を備える。
【００８４】
なお、今回提示した操作パネル１７５及びその操作パネル上に配置される各種キー群は、あくまでも一実施例として例示したに過ぎず、デジタル複写システム１に搭載される各種機能により操作パネル１７５上に設けられるキー群は異なってくることはいうまでもない。
【００８５】
（画像読み取り装置の実施例の説明）
以下、本発明の画像読み取り装置１０について、図１ないし図６を用いて更にくわしく説明する。
【００８６】
（本発明の第１の実施形態）
まず図１及び図２に示した原稿読取装置１０において、給紙トレイ１１にセットされた原稿１２は給紙ローラ１３、１４により装置内部に引き込まれ、例えば偏光フィルタ１５ａ、１５ｂより構成される読み取り部へと送られる。
【００８７】
図５は図２に示した原稿読取装置１０の読み取り部を拡大したものであるが、これらの偏光フィルタ１５ａ、１５ｂは図２に示したようにお互いに偏光方向の異なるものである。
【００８８】
光源１６ａ、１６ｂの光がそれぞれこれらの偏光フィルタ１５ａ、１５ｂを通過することで、２つの光源からの光の向きを異なったものにし、互いに反対側の読取部へ影響しないように配慮している。
【００８９】
ここで１９ａ及び１９ｂはそれぞれ光源１６ａ、１６ｂの光が外部へもれないようにするための光源カバーである。
【００９０】
１７ａ、１７ｂはＣＣＤ（光電変換素子）等の受光素子であり、結像レンズ１８ａ、１８ｂによって原稿の画像情報を撮像面に投影している。そして読み取り部へ送り込まれた原稿は、図示しない副走査手段によって正確に搬送され、原稿の画像情報を読み取った後に排紙ローラ２０、２１により排紙トレイ２２へ排出される。
【００９１】
以上の如く読み取られた両面の画像データは、上記で述べたように画像処理部へ送られ、各種処理が施された後、画像処理部のメモリに一旦記憶されて出力指示に応じてメモリー内の画像を読み出し、ケーブル６０を介して両面プリンタ部３０に転送されて、記録シート上に画像を形成させる。
【００９２】
また、データを読み込まれた原稿は図示しない用紙搬送手段によって読み取り部から排出されて、排紙ローラ２０、２１により排紙トレイ２２へ排出される。
【００９３】
（本発明の第２の実施形態）
図３に図示した原稿読み取り装置１０ａには、図２で示した偏光フィルタ１５ａ、１５ｂ、光源１６ａ、１６ｂ、光電変換素子（ＣＣＤ）１７ａ、１７ｂの代わりに、照射する光の波長が互いに異なる原稿露光用の光源１６ｃ、１６ｄと各光源からの光の波長に感度を有する光電変換素子（ＣＣＤ）１７ｃ、１７ｄを用いることで互いに反対側の読取部へ影響しないように配慮しているものである。その他の動作は図２の原稿読取装置１０と同一なので省略する。
【００９４】
（本発明の第３の実施形態）
図４（Ａ）に示した原稿読取装置１０ｂには、図２で説明した偏光フィルタ１５ａ、１５ｂ、光電変換素子（ＣＣＤ）１７ａ、１７ｂの代わりに、お互いに波長又は波長域の異なる光を透過する光学フィルタ２３ｅ、２３ｆと各光学フィルタを透過した光の波長に感度を有する光電変換素子（ＣＣＤ）１７ｅ、１７ｆを用いることで互いに反対側の読取部へ影響しないように配慮しているものである。その他の動作は図２の原稿読取装置１０と同一なので省略する。
【００９５】
（本発明の第４の実施形態）
図４（Ｂ）に示した原稿読み取り装置１０ｂ’は、図２で説明した偏光フィルタ１５ａ、１５ｂ、光電変換素子（ＣＣＤ）１７ａ、１７ｂの代わりに、照射する光の波長が互いに異なる原稿露光用の光源１６ｃ、１６ｄと、お互いに波長又は波長域の異なる上記光源光を各々透過する光学フィルタ２３ｅ、２３ｆと汎用の光電変換素子（ＣＣＤ）１７ａ、１７ｂを用いることで互いに反対側の読取部へ影響しないように配慮しているものである。このように構成することで、第３の実施形態で使用する比較的部品コストの高い光電変換素子（ＣＣＤ）と比べ、設計自由度が増し、製造コストを低減することが可能である。
【００９６】
本実施例では、第１の実施形態で用いた光電変換素子１７ａ、１７ｂ、第２の実施形態で用いた光源１６ｃ、１６ｄ、第３の実施形態で用いる光学フィルタ２３ｅ、２３ｆを用いているが、これらの構成部品は共通のものを用いることは可能であるが、異なる特性の部品とすることも可能であり、製品仕様によって夫々設定すれば良い。なおその他の動作は図２の原稿読取装置１０と同一なので省略する。
【００９７】
（本発明の第５の実施形態）
図６に示した原稿読取装置１０ｃおいては原稿１２の一方の面を原稿案内光学部材（光学案内部材）１５ｇ、１５ｈの少なくとも一方の表面に当接させると共に、原稿の画像を読み取らせる構造としたものである。その他の動作は図２の原稿読取装置１０と同一なので省略する。
【００９８】
（本発明の第６の実施形態）
図７から図１０は原稿読取装置１０の内部主要部分を拡大して図示したものである。まず図７において、原稿案内光学部材１５ｉ、１５ｊのうち少なくとも一方の部材端面を曲面形状としたものである。ここでは１５ｉの上部で搬送方向から見て上流側を曲面形状としている。
【００９９】
また、一方の光学案内部材の原稿が当接する面全体が曲面形状であるようにもできる。例えば、図１０に示す実施例では、原稿案内光学部材１５０、１５ｐにおいて、少なくとも一方の原稿が当接する光学案内部材の、原稿が当接する面全体を曲面形状としている。なお、その他の画像読み取りの動作は図２の原稿読取装置１０と同一なので説明を省略する。
【０１００】
（本発明の第７の実施形態）
図８においては原稿案内光学部材１５ｋ、１５１の原稿入紙側に、少なくとも一方の原稿案内光学案内部材に原稿を当接させるための原稿ガイド部材２５を設けている。画像読み取りの動作は図２の原稿読取装置１０と同一なので省略する。
【０１０１】
（本発明の第８の実施形態）
図９において、原稿案内光学部材１５ｍ、１５ｎの少なくとも一方に原稿を当接させるため、原稿案内光学部材１５ｍ、１５ｎの少なくとも一方の形状を変更して原稿ガイド部材の機能も兼ねた構造にしたものである。
【０１０２】
ここでは原稿案内部材１５ｎの形状を変更して、原稿ガイド部材の機能も兼ねた構造としている。なお、その他の画像読み取りの動作は、図２の原稿読取装置１０と同一なので説明を省略する。
【０１０３】
（本発明の第９の実施形態）
図７及び図１０中でのＰａｌ（図中の実線）は原稿の搬送経路を示している。これらの図において原稿が当接している原稿案内光学部材１５ｉ、１５０の形状に沿って原稿が搬送されるとすると原稿の搬送経路は図７及び図１０中でのＰａ２（図中の破線）となるが、これらの搬送経路面より下側に用紙排出ローラ２０、２１を設けることにより、光学案内部材によって形成される用紙搬送経路面より下側に用紙搬送ローラの用紙搬送面を設けている。画像読み取りの動作は図２の原稿読取装置１０と同一なので省略する。
【０１０４】
（本発明の第１０の実施形態）
図８において２６は原稿案内光学部材帯電装置であり、２６ａ、ｂは電源、２６ｃ、２６ｄは導電ガラスである。
【０１０５】
電源２６ａ、ｂより電圧が印加されると、それぞれ導電ガラス２６ｃ、２６ｄに電荷が供給され、２つの導電ガラス間に電界が発生して原稿案内光学部材１５ｋと１５１が帯電する。
【０１０６】
このとき、原稿案内光学部材１５ｋと１５１との間に挿入された物体には、原稿案内光学部材１５１から１５ｋの方向へ引っ張られる力が働く。
【０１０７】
従って、原稿案内光学部材１５ｋや１５１等により構成される読み取り部へ送られた原稿は上記の理由によって例えば原稿案内光学部材１５ｋに吸着され、導電ガラスの位置する領域を通過した原稿は、原稿自身の剛性により前記領域に滞留することなく搬送される。なお、その他の画像読み取り動作は図２の原稿読取装置１０と同一なので省略する。
【０１０８】
（本発明の第１１の実施形態）
図１１において１５ｑ、１５ｒは例えばエンドレスの偏光フィルムからなる原稿案内光学部材であり、２７ａ、２７ｂは原稿案内光学部材の駆動機構である。
【０１０９】
原稿読取装置１０ｄにおいて、給紙トレイ１１にセットされた原稿１２は、給紙ローラ１３、１４により装置内部に引き込まれ、例えばエンドレスの偏光フィルム１５ｑ、１５ｒより構成される読み取り部へと送られる。これらのエンドレスの偏光フィルム１５ｑ、１５ｒはお互いに偏光方向の異なるものであり、かつ原稿の搬送も行うことができる。
【０１１０】
光源１６ａ、１６ｂの光がそれぞれエンドレスの偏光フィルム１５ｑ、１５を通過することで、２つの光源からの照射される光の向きを異ならしめ、互いに反対側の読取部へ影響しないように配慮する。
【０１１１】
また、１７ａ、１７ｂはＣＣＤ等の光電変換素子であり、結像レンズ１８ａ、１８ｂによって原稿の画像情報を撮像面に投影している。
【０１１２】
そして読み取り部へ送り込まれた原稿１２は、エンドレスの偏光フィルム１５ｑ、１５ｒによって正確に搬送され、排紙ローラ２０、２１により排紙トレイ２２へ排出される。
【０１１３】
以上の如く読み取られた両面の画像データは、上述の通り画像処理部へ送られ、各種処理が施された後、画像処理部のメモリに一旦記憶されて出力指示に応じてメモリ内の画像を読み出し、ケーブルを介して両面プリンタ部に転送される。
【０１１４】
図１２において、１５ｓは例えばエンドレスの偏光フィルムからなる原稿案内光学部材、１５ｔは偏光フィルタであり、２７ｃは原稿案内光学部材１５ｓの駆動機構である。
【０１１５】
ここで示した原稿読取装置１０ｅにおいて、給紙トレイ１１にセットされた原稿１２は給紙ローラ１３、１４により装置内部に引き込まれ、例えばエンドレスの偏光フィルム１５ｓや偏光フィルタ１５ｔ等により構成される読み取り部へと送られる。ここで、これらのエンドレスの偏光フィルム１５ｓと偏光フィルタ１５ｔは、お互いに偏光方向の異なるものである。
【０１１６】
光源１６ａ、１６ｂの光がそれぞれエンドレスの偏光フィルム１５ｓ及び備光フィルタ１５ｔを通過することで、２つの光源からの照射される光の向きを異ならしめ、互いに反対側の読取部へ影響しないように配慮する。ここで、１７ａ、１７ｂはＣＣＤ等の光電変換素子であり、結像レンズ１８ａ、１８ｂによって原稿の画像情報を撮像面に投影している。
【０１１７】
そして、読み取り部へ送り込まれた原稿は、エンドレスの偏光フィルム１５ｓによって正確に搬送され、排紙ローラ２０、２１により排紙トレイ２２へ排出される。
【０１１８】
以上の如く読み取られた両面の画像データは、上述の通り画像処理部へ送られ、各種処理が施された後、画像処理部のメモリに一旦記憶されて出力指示に応じてメモリ内の画像を読み出し、ケーブルを介して両面プリンタ部３０へ転送される。
【０１１９】
更に図１１において、２６は原稿案内光学部材帯電装置であり、２６ａ、ｂは電源、２６ｃ、２６ｄは導電ガラスである。
【０１２０】
そして電源２６ａ、ｂより電圧が印加されると、それぞれ導電ガラス２６ｃ、２６ｄに電荷が供給され、２つの導電ガラス間に電界が発生して原稿案内光学部材１５ｑと１５ｒが帯電する。
【０１２１】
このとき、原稿案内光学部材１５ｑと１５ｒとの間にはいった物体には原稿案内光学部材１５ｑと１５ｒの方向へ引っ張られる力が働く。
【０１２２】
従い、原稿案内光学部材１５ｑと１５ｒ等により構成される読み取り部へ送られた原稿は、上記の理由によって、例えば原稿案内光学部材１５ｑに吸着され、導電ガラスの位置する領域を通過した原稿は、原稿自身の剛性により前記領域へ滞留することなく搬送される。
【０１２３】
その他の画像読み取り動作は図１１の原稿読取装置１０ｄと同一なので説明を省略する。なお図５は図８の原稿案内光学部材１５ｋ、１５１の付近を拡大して図示したものである。
【０１２４】
（本発明の第１２の実施形態）
図１３において、２８は原稿帯電装置であり、２８ａは電源、２８ｂは電圧調整装置、２８ｃは原稿帯電ブラシである。
【０１２５】
電源２８ａより電圧が印加されると、電圧調整装置２８ｂで電圧が調整され、原稿帯電ブラシ２８ｃを通じて原稿１２ａに電流が印加される仕組みとなっている。このとき原稿１２ａは帯電した状態となっており、原稿１２ａが原稿案内光学部材１５ｋと１５１との間に挿入されると、電界が生じてどちらか一方の原稿案内光学部材に原稿１２ａが引き寄せられ、（図中矢印参照）原稿案内光学部材１５ｋに吸着される。その他の画像読み取り動作は図６の原稿読取装置１０と同一なので説明を省略する。
【０１２６】
（本発明の第１３の実施形態）
図１４において、まず図示していない原稿帯電装置によって原稿１２ｂに電流が印加され正又は負の電荷に帯電した状態となり、図示しない原稿案内光学部材帯電装置によって原稿案内光学部材１５ｋを原稿１２ｂとは逆の電荷に帯電させる。
【０１２７】
この状態で原稿案内光学部材１５ｋと１５１との間に原稿が挿入されると、電界が生じて原稿１２ｂが原稿案内光学部材１５ｋの方向に引き寄せられ（図中矢印参照）、そして原稿案内光学部材１５ｋに吸着される。その他の画像読み取り動作は図６の原稿読取装置１０と同一なので説明を省略する。
【０１２８】
（本発明の第１４の実施形態）
図１５において、まず図示しない原稿帯電装置によって原稿１２ｃに電流が印加されて正又は負の電荷に帯電した状態となり、更に図示しない原稿案内光学部材帯電装置によって原稿案内光学部材１５１を原稿１２ｃと同一の電荷に帯電させる。
【０１２９】
この状態で原稿案内光学部材１５ｋと１５１との間に原稿が挿入されると、電界が生じて原稿が原稿案内光学部材１５ｋの方向に引き寄せられ（図中矢印参照）、そして原稿案内光学部材１５ｋに吸着される。その他の画像読み取り動作は図６の原稿読取装置１０と同一なので説明を省略する。
【０１３０】
（本発明の第１５の実施形態）
図１６において、まず図示していない原稿帯電装置によって原稿１２ｄに電流が印加され正又は負の電荷に帯電した状態となり、また図示しない原稿案内光学部材帯電装置によって原稿案内光学部材１５ｋを原稿１２ｄとは異なった電荷に帯電させ、更に図示しない原稿案内光学部材帯電装置によって原稿案内光学部材１５１を原稿１２ｄと同一の電荷に帯電させる。
【０１３１】
この状態で原稿案内光学部材１５ｋと１５１との間に原稿１２ｄが挿入されると、電界が生じて原稿が原稿案内光学部材１５ｋの方向に引き寄せられ（図中矢印参照）、そして原稿案内光学部材１５ｋに吸着される。その他の画像読み取り動作は図６の原稿読取装置１０と同一なので省略する。
【０１３２】
（本発明の第１６の実施形態）
図１７において２９は原稿除電ブラシであり、データを読み込まれた図示しない原稿帯電装置によって帯電されている原稿１２ｅは図示しない用紙搬送手段によって読み取り部から排出されて、排紙ローラ２０、２１により排紙トレイ２２へ排出されるが、排紙ローラ２０、２１へ原稿が到着する前に原稿除電ブラシ２９によって原稿１２ｅに蓄積された電荷を除電する。その他の画像読み取り動作は図６の原稿読取装置１０ｄと同一なので説明を省略する。
【０１３３】
（本発明の第１７の実施形態）
図１８に図示した原稿読取装置１０ｆは、一方の原稿読み取り手段の入った片側原稿読取装置１０ｇと他方の原稿読み取り手段の入った片側原稿読取装置１０ｈとに分割して使用することも可態である。
【０１３４】
分割して使用する場合、例えばブック原稿Ｂを図のように原稿案内光学部材１５ｕの上に直接置いて画像読み取り動作（片面のみ）を行うことができる。
【０１３５】
もちろん一方の原稿読み取り手段の入った片側原稿読取装置１０ｇと他方の原稿読み取り手段の入った片側原稿読取装置１０ｈとを一体にして、図２で述べたような原稿両面同時読み取りの動作も可能である。
【０１３６】
（本発明の第１８の実施形態）
図１９において、１５ｗは例えばエンドレスの偏光フィルムからなる原稿案内光学部材、１５ｘは偏光フィルタであり、２７ｄは原稿案内光学部材１５ｗの駆動機構である。
【０１３７】
ここで示した原稿読取装置１０ｉは、一方の原稿読み取り手段を有する片側原稿読取装置１０ｇと他方の原稿読み取り手段を有する片側原稿読取装置１０ｈとに分割して使用することも可能である。
【０１３８】
分割して使用するときは、例えばブック原稿Ｂを図のように原稿案内光学部材１５ｘの上に直接置いて画像読み取り動作（片面のみ）を行うことができる。もちろん一方の原稿読み取り手段の入った片側原稿読取装置１０ｉと他方の原稿読み取り手段の入った片側原稿読取装置１０ｊとを一体にして、図１１で述べたような原稿両面同時読み取りの動作も可能である。
【０１４５】
【発明の効果】
本発明によれば、２つの光学案内部材を設けて原稿の一方の面をどちらか一方の光学案内部材の表面に当接させて原稿の画像を読み取らせる構成としている。従ってこの構成により、受光手段と原稿面との距離を常に一定とすることができるので原稿の読み取り精度を向上させることができる。さらに原稿読み取り手段よりも原稿搬送方向下流側の搬送面は、前記第１及び第２の光学案内部材によって形成される用紙搬送経路面よりも低い面に設けられる。このように搬送面をずらすだけの簡単な構成によって原稿搬送経路を改善し、原稿の一方の面を一方の原稿案内光学部材の表面に当接させることができる。しかも下側の光学案内部材は、原稿搬送方向下流側が下がった曲面状に形成されており、原稿の一方の面を一方の原稿案内光学部材の表面に円滑に当接させ易くなる。したがって簡単な構成で、受光手段と原稿面との距離をより確実に一定にでき、さらに原稿読み取り精度が向上する。
【図面の簡単な説明】
【図１】本発明の実施形態にかかるデジタル複写システム１全体を表す図である。
【図２】本発明の実施形態にかかる原稿画像読取装置１０を表す断面図である。
【図３】本発明の実施形態にかかる原稿画像読取装置１０を表す断面図である。
【図４】本発明の実施形態にかかる原稿画像読取装置１０を表す断面図である。
【図５】本発明の実施形態にかかる原稿画像読取装置１０の読み取り部を拡大した要部拡大図である。
【図６】本発明の実施形態にかかる原稿画像読取装置１０を表す断面図である。
【図７】本発明の実施形態にかかる原稿画像読取装置１０の要部拡大図である。
【図８】本発明の実施形態にかかる原稿画像読取装置１０の要部拡大図である。
【図９】本発明の実施形態にかかる原稿画像読取装置１０の要部拡大図である。
【図１０】本発明の実施形態にかかる原稿画像読取装置１０の要部拡大図である。
【図１１】本発明の実施形態にかかる原稿画像読取装置１０を表す断面図である。
【図１２】本発明の実施形態にかかる原稿画像読取装置１０を表す断面図である。
【図１３】本発明の実施形態にかかる原稿案内光学部材１５ｋ、１５ｌ付近の要部拡大図である。
【図１４】本発明の実施形態にかかる原稿案内光学部材１５ｋ、１５ｌ付近の要部拡大図である。
【図１５】本発明の実施形態にかかる原稿案内光学部材１５ｋ、１５ｌ付近の要部拡大図である。
【図１６】本発明の実施形態にかかる原稿案内光学部材１５ｋ、１５ｌ付近の要部拡大図である。
【図１７】本発明の実施形態にかかる原稿案内光学部材１５ｋ、１５ｌ付近の要部拡大図である。
【図１８】本発明の実施形態にかかる原稿画像読取装置１０の原稿読み取り手段を分割したことを示す説明図である。
【図１９】本発明の実施形態にかかる原稿画像読取装置１０の原稿読み取り手段を分割したことを示す説明図である。
【図２０】本発明の実施形態にかかるデジタル複写システム１における画像処理部のブロック図である。
【図２１】本発明の実施形態にかかるデジタル複写システム１装置全体の各部を中央制御システム４４により動作管理している状態を表す図である。
【図２２】本発明の実施形態にかかるデジタル複写システムの操作パネルを表す図である。
【符号の説明】
１０  原稿画像読取装置
１１  給紙トレイ
１２  原稿
１３  給紙ローラ
１５ａ、１５ｂ  偏光フィルタ
１６ａ、１６ｂ  光源
１７ａ、１７ｂ  光電変換素子
１８ａ、１８ｂ  結像レンズ
１９ａ、１９ｂ  光源カバー
２０、２１  排出ローラ
２２  排紙トレイ
【図１】
0003670478.tif 000002
【図２】
0003670478.tif 000003
【図３】
0003670478.tif 000004
【図４】
0003670478.tif 000005
【図５】
0003670478.tif 000006
【図６】
0003670478.tif 000007
【図７】
0003670478.tif 000008
【図８】
0003670478.tif 000009
【図９】
0003670478.tif 000010
【図１０】
0003670478.tif 000011
【図１１】
0003670478.tif 000012
【図１２】
0003670478.tif 000013
【図１３】
0003670478.tif 000014
【図１４】
0003670478.tif 000015
【図１５】
0003670478.tif 000016
【図１６】
0003670478.tif 000017
【図１７】
0003670478.tif 000018
【図１８】
0003670478.tif 000019
【図１９】
0003670478.tif 000020
【図２０】
0003670478.tif 000021
【図２１】
0003670478.tif 000022
【図２２】
0003670478.tif 000023